【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
１つまたは複数の放射線重合性モノマーと、シクロデキストリン包接錯体とを含むシクロデキストリン組成物であって、前記シクロデキストリン包接錯体が、シクロデキストリン化合物及び農産物のエチレン発生のオレフィン系抑制剤を含み、前記オレフィン系抑制剤が、構造
【化１】
2014510814.tif 000001
（式中、Ｒ１、Ｒ２はそれぞれ独立して水素またはＣ１〜１６ヒドロカルビル基であり、Ｒ３及びＲ４は独立して水素またはＣ１〜１６ヒドロカルビル基であるが、ただし、Ｒ１またはＲ２の少なくとも１つはメチルであるものとする）
を有する化合物を含む、シクロデキストリン組成物。
【請求項２】
前記１つまたは複数の放射線重合性モノマーが、アクリル酸、メタクリル酸、アクリレートエステル、メタクリレートエステル、アクリルアミド、ジアクリレート、トリアクリレート、テトラアクリレート、またはこれらの混合物を含む、請求項１に記載の組成物。
【請求項３】
前記オレフィン系抑制剤が１−メチルシクロプロペンを含み、そして前記シクロデキストリン化合物がα−シクロデキストリンを含む、請求項１に記載の組成物。
【請求項４】
包装材料と、前記包装材料の１つの表面の少なくとも一部に配設された硬化シクロデキストリン組成物とを含む処理包装材料であって、前記硬化シクロデキストリン組成物が、
１つまたは複数の放射線重合性モノマーから誘導されるポリマーと、
シクロデキストリン包接錯体であって、前記シクロデキストリン包接錯体が、シクロデキストリン化合物と、構造
【化２】
2014510814.tif 000002
（式中、Ｒ１、Ｒ２はそれぞれ独立して水素またはＣ１〜１６ヒドロカルビル基であり、Ｒ３およびＲ４は独立して水素またはＣ１〜１６ヒドロカルビル基であるが、ただし、Ｒ１またはＲ２の少なくとも１つはメチルであるものとする）
を有する化合物とを含む、シクロデキストリン包接錯体と、
を含む、処理包装材料。
【請求項５】
前記処理包装材料が、フィルム、シート、バッグ、果物かご、皿、カップ、カバー、ラベル、板紙、またはパッケージインサート、または積層物を含む、請求項４に記載の処理包装材料。
【請求項６】
処理包装材料を含む容器であって、前記処理包装材料が、包装材料の表面の少なくとも一部に配設された硬化シクロデキストリン組成物を含み、前記硬化シクロデキストリン組成物が、
１つまたは複数の放射線重合性モノマーから誘導されるポリマーと、
シクロデキストリン包接錯体であって、前記シクロデキストリン包接錯体が、シクロデキストリン化合物と、構造
【化３】
2014510814.tif 000003
（式中、Ｒ１、Ｒ２はそれぞれ独立して水素またはＣ１〜１６ヒドロカルビル基であり、Ｒ３およびＲ４は独立して水素またはＣ１〜１６ヒドロカルビル基であるが、ただし、Ｒ１またはＲ２の少なくとも１つはメチルであるものとする）
を有する化合物とを含む、シクロデキストリン包接錯体と、
を含む、容器。
【請求項７】
処理包装材料を製造する方法であって、
ａ．シクロデキストリン組成物を形成するステップであって、前記シクロデキストリン組成物は、１つまたは複数の放射線重合性モノマーと、前記シクロデキストリン組成物の重量に基づいて約０．０５重量％〜１０重量％のシクロデキストリン包接錯体とを含み、前記シクロデキストリン包接錯体がシクロデキストリン及び農産物のエチレン発生のオレフィン系抑制剤を含み、前記オレフィン系抑制剤が、構造
【化４】
2014510814.tif 000004
（式中、Ｒ１、Ｒ２はそれぞれ独立して水素またはＣ１〜１６ヒドロカルビル基であり、Ｒ３及びＲ４は独立して水素またはＣ１〜１６ヒドロカルビル基であるが、ただし、Ｒ１またはＲ２の少なくとも１つはメチルであるものとする）
を有する化合物を含む、ステップと、
ｂ．包装材料の１つの表面の少なくとも一部に前記シクロデキストリン組成物を約０．０１ミクロン〜１ミリメートルの厚さで配設して、コーティングを形成するステップと、
ｃ．前記コーティングを放射線源に暴露して、硬化シクロデキストリン組成物を形成するステップと
を含む方法。
【請求項８】
前記シクロデキストリン組成物が更に、前記組成物の重量に基づいて約０．１重量％〜５重量％の１つまたは複数の光開始剤を含み、前記放射線源が紫外放射線である、請求項７に記載の方法。
【請求項９】
１つまたは複数の放射線重合性モノマーから誘導されるポリマーと、
シクロデキストリン化合物および農産物のエチレン発生のオレフィン系抑制剤を含むシクロデキストリン包接錯体であって、前記オレフィン系抑制剤が、構造
【化５】
2014510814.tif 000005
（式中、Ｒ１、Ｒ２はそれぞれ独立して水素またはＣ１〜１６ヒドロカルビル基であり、Ｒ３およびＲ４は独立して水素またはＣ１〜１６ヒドロカルビル基であるが、ただし、Ｒ１またはＲ２の少なくとも１つはメチルであるものとする）
を有する化合物を含む、シクロデキストリン包接錯体と、
を含む、硬化シクロデキストリン組成物。
【手続補正２】
【補正対象書類名】明細書
【補正対象項目名】００１５
【補正方法】変更
【補正の内容】
【００１５】
本発明は更に、従来の包装材料から製造され、制御された湿度レベルの増大または付加によってオレフィン系抑制剤を放出可能な本発明の処理シート片またはフィルム片を含むパッケージインサートを含有する、農産物のための容器またはパッケージを企図する。
本発明の好ましい実施形態において、例えば以下の項目が提供される。
（項目１）
１つまたは複数の放射線重合性モノマーと、シクロデキストリン包接錯体とを含むシクロデキストリン組成物であって、前記シクロデキストリン包接錯体が、シクロデキストリン化合物及び農産物のエチレン発生のオレフィン系抑制剤を含み、前記オレフィン系抑制剤が、構造
【化１】
2014510814.tif 000006
（式中、Ｒ１、Ｒ２はそれぞれ独立して水素またはＣ１〜１６ヒドロカルビル基であり、Ｒ３及びＲ４は独立して水素またはＣ１〜１６ヒドロカルビル基であるが、ただし、Ｒ１またはＲ２の少なくとも１つはメチルであるものとする）
を有する化合物を含むシクロデキストリン組成物。
（項目２）
前記１つまたは複数の放射線重合性モノマーが、アクリル酸、メタクリル酸、アクリレートエステル、メタクリレートエステル、アクリルアミド、ジアクリレート、トリアクリレート、テトラアクリレート、またはこれらの混合物を含む、項目１に記載の組成物。
（項目３）
前記組成物が光開始剤を更に含む、項目１に記載の組成物。
（項目４）
前記組成物が１つまたは複数のプレポリマーを更に含む、項目１に記載の組成物。
（項目５）
前記オレフィン系抑制剤が１−メチルシクロプロペンを含む、項目１に記載の組成物。
（項目６）
前記シクロデキストリン化合物がα−シクロデキストリンを含む、項目５に記載の組成物。
（項目７）
前記組成物が、前記組成物の重量に基づいて約０．０１重量％〜１０重量％のシクロデキストリン包接錯体を含む、項目１に記載の組成物。
（項目８）
包装材料と、前記包装材料の１つの表面の少なくとも一部に配設された硬化シクロデキストリン組成物とを含む処理包装材料であって、前記硬化シクロデキストリン組成物が、
アクリル酸、アクリル酸のアルキルエステル、メタクリル酸のアルキルエステル、１つよりも多い不飽和重合性基を有するモノマー、およびこれらの混合物からなる群から選択される１つまたは複数の放射線重合性モノマーから誘導されるポリマーと、
シクロデキストリンおよび農産物のエチレン発生のオレフィン系抑制剤を含むシクロデキストリン包接錯体であって、前記オレフィン系抑制剤が、構造
【化２】
2014510814.tif 000007
（式中、Ｒ１、Ｒ２はそれぞれ独立して水素またはＣ１〜１６ヒドロカルビル基であり、Ｒ３およびＲ４は独立して水素またはＣ１〜１６ヒドロカルビル基であるが、ただし、Ｒ１またはＲ２の少なくとも１つはメチルであるものとする）
を有する化合物を含むシクロデキストリン包接錯体と、
場合により、１つまたは複数の水捕捉剤、乾燥剤、接着促進剤、防汚剤、熱安定剤、酸化安定剤、着色剤、補助剤、可塑剤、またはこれらの混合物と
から本質的になる処理包装材料。
（項目９）
前記処理包装材料が、フィルム、シート、バッグ、果物かご、皿、カップ、カバー、ラベル、板紙、または処理パッケージインサートを含む、項目８に記載の処理包装材料。
（項目１０）
前記包装材料がポリオレフィンまたはポリエステルを含む、項目８に記載の処理包装材料。
（項目１１）
前記硬化シクロデキストリン組成物が感圧接着剤を含む、項目８に記載の処理包装材料。
（項目１２）
前記硬化シクロデキストリン組成物が、印刷またはエンボス加工された特徴を含む、項目８に記載の処理包装材料。
（項目１３）
前記処理包装材料が処理積層物である、項目８に記載の処理包装材料。
（項目１４）
処理包装材料を含む容器であって、前記容器が封入容積を含み、前記処理包装材料が、包装材料の表面の少なくとも一部に配設された硬化シクロデキストリン組成物を含み、前記硬化シクロデキストリン組成物が、
アクリル酸、アクリル酸のアルキルエステル、メタクリル酸のアルキルエステル、１つよりも多い不飽和重合性基を有するモノマー、およびこれらの混合物からなる群から選択される１つまたは複数の放射線重合性モノマーから誘導されるポリマーと、
シクロデキストリンおよび農産物のエチレン発生のオレフィン系抑制剤を含むシクロデキストリン包接錯体であって、前記オレフィン系抑制剤が、構造
【化３】
2014510814.tif 000008
（式中、Ｒ１、Ｒ２はそれぞれ独立して水素またはＣ１〜１６ヒドロカルビル基であり、Ｒ３およびＲ４は独立して水素またはＣ１〜１６ヒドロカルビル基であるが、ただし、Ｒ１またはＲ２の少なくとも１つはメチルであるものとする）
を有する化合物を含むシクロデキストリン包接錯体と、
場合により、１つまたは複数の水捕捉剤、乾燥剤、接着促進剤、防汚剤、熱安定剤、酸化安定剤、着色剤、補助剤、可塑剤、またはこれらの混合物と
から本質的になる容器。
（項目１５）
前記容器が処理積層容器である、項目１４に記載の容器。
（項目１６）
前記硬化シクロデキストリン組成物がパッケージインサート上のコーティングとして存在する、項目１４に記載の容器。
（項目１７）
農産物品を更に含む、項目１４に記載の容器。
（項目１８）
前記封入容積が約０℃〜２０℃の間の温度で５０％〜１００％の間の相対湿度を含む、項目１４に記載の容器。
（項目１９）
前記封入容積が、約０℃〜２０℃の間の温度で１００％の相対湿度を含み、そして更に液体水を含む、項目１４に記載の容器。
（項目２０）
前記オレフィン系抑制剤が、約２．５ｐｐｂ〜１０ｐｐｍの濃度で前記封入容積内に存在する、項目１４に記載の容器。
（項目２１）
処理包装材料を製造する方法であって、
ａ．１つまたは複数の放射線重合性モノマーと、シクロデキストリン組成物の重量に基づいて約０．０５重量％〜１０重量％のシクロデキストリン包接錯体とを含むシクロデキストリン組成物を形成するステップであって、前記シクロデキストリン包接錯体がシクロデキストリン及び農産物のエチレン発生のオレフィン系抑制剤を含み、前記オレフィン系抑制剤が、構造
【化４】
2014510814.tif 000009
（式中、Ｒ１、Ｒ２はそれぞれ独立して水素またはＣ１〜１６ヒドロカルビル基であり、Ｒ３及びＲ４は独立して水素またはＣ１〜１６ヒドロカルビル基であるが、ただし、Ｒ１またはＲ２の少なくとも１つはメチルであるものとする）
を有する化合物を含むステップと、
ｂ．包装材料の１つの表面の少なくとも一部に前記シクロデキストリン組成物を約０．０１ミクロン〜１ミリメートルの厚さで配設して、コーティングを形成するステップと、
ｃ．前記コーティングを放射線源に暴露して、硬化シクロデキストリン組成物を形成するステップと
を含む方法。
（項目２２）
前記シクロデキストリン組成物が更に、組成物の重量に基づいて約０．１重量％〜５重量％の１つまたは複数の光開始剤を含み、前記放射線源が紫外放射線である、項目２１に記載の方法。
（項目２３）
前記シクロデキストリン組成物が更に、組成物の重量に基づいて約０．１重量％〜５重量％の１つまたは複数の光開始剤を含み、そして更に、前記シクロデキストリン組成物を配設する前に紫外放射線に暴露することを含む、項目２１に記載の方法。
（項目２４）
アクリル酸、メタクリル酸、アクリル酸またはメタクリル酸のアルキルエステル（ここで、前記エステル基は１〜１８個の間の炭素を有する）、１つよりも多い不飽和重合性基を有するモノマー、およびこれらの混合物からなる群から選択される１つまたは複数の放射線重合性モノマーから誘導されるポリマーと、
シクロデキストリンおよび１−メチルシクロプロペンを含むシクロデキストリン包接錯体と、
場合により、１つまたは複数の水捕捉剤、乾燥剤、接着促進剤、防汚剤、熱安定剤、酸化安定剤、着色剤、補助剤、可塑剤、またはこれらの混合物と
から本質的になる、硬化シクロデキストリン組成物。